(57)【要約】  ダウンフロー水素化処理リアクタのための改善されたノズル・デバイスが開示される。ダウンフロー・ノズルは、石油及び化学処理産業において、水素がある場合の炭化水素原料の触媒反応において、高い温度及び圧力で、リアクタ触媒床に対する気体及び液体の混合及び分散を提供するのに役立つ。典型的な水素化処理用途には、水素化精製、水素化仕上げ、水素化分解、及び水素化脱ろうが含まれる。
2021520998.tif 000002
【特許請求の範囲】
【請求項１】
ダウンフロー・リアクタ内の気液流体混合物の分散のためのノズルであって、
上部と、底部と、長さと、幅又は直径と、内面及び外面を有する壁とを有するノズル本体であって、前記ノズル本体は、気体入口ゾーン本体部、液体入口ゾーン本体部及び出口ゾーン本体部を有し、前記気体入口ゾーン本体部は、気体入口ゾーン・ボリュームを定義し、且つ前記気体入口ゾーン・ボリューム内に気体を通過させるための少なくとも２つのオフセットされた気体入口を有し、前記液体入口ゾーン本体部は、液体入口ゾーン・ボリュームを定義し、且つ前記液体入口ゾーン・ボリューム内に液体を通過させるための少なくとも１つの液体入口を有し、前記気体入口ゾーン・ボリューム及び前記液体入口ゾーン・ボリュームは流体連通している、ノズル本体と、
前記ノズル本体の前記上部に位置し、前記気体入口ゾーン本体部の上部を囲むノズル・キャップと、
前記ノズル本体の前記底部のところで前記出口ゾーンに位置する収束・発散ノズル制限器であって、前記液体入口ゾーンと流体連通する円錐台状の収束ゾーン及び円錐台状の発散ゾーンを有する収束・発散ノズル制限器と
を有するノズル。
【請求項２】
前記気体入口ゾーン及び前記液体入口ゾーンは流体連通しており、また前記気体入口ゾーン及び前記液体入口ゾーンは、動作中に気体が前記気体入口ゾーン内に、そしてそこから前記液体入口ゾーン内に流入し、液体が前記液体入口ゾーン内に流入し、それにより前記気体及び前記液体が混合し且つ前記出口ゾーン内に流入するように配置されている、請求項１に記載のノズル。
【請求項３】
前記ノズル本体、前記気体入口ゾーン本体部、前記液体入口ゾーン本体部及び前記出口ゾーン本体部のうち１つ又は複数が実質的に円筒状である、請求項１又は２に記載のノズル。
【請求項４】
少なくとも２つの気体入口が、前記ノズル本体の前記長さに沿って前記ノズル本体の前記上部から異なる長さに位置している、請求項１から３までのいずれか一項に記載のノズル。
【請求項５】
１つ又は複数の気体入口が、前記気体入口ゾーンの内部の周りで入口気体の接線流を生成するように、またそれにより気相らせん流を提供するように構成されている、請求項１から４までのいずれか一項に記載のノズル。
【請求項６】
前記気体入口は、前記気体入口ゾーン本体部の周りで、前記ノズル本体の中心線に対して略等しい角度で横方向に離間されている、請求項１から５までのいずれか一項に記載のノズル。
【請求項７】
前記気体入口本体部は、約１８０度離れて離間された２つの気体入口を有し、又は約１２０度離れて離間された３つの気体入口を有し、又は約９０度離れて離間された４つの気体入口を有している、請求項１から６までのいずれか一項に記載のノズル。
【請求項８】
前記気体入口本体部は２つの気体入口を有する、請求項１から７までのいずれか一項に記載のノズル。
【請求項９】
１つ又は複数の液体入口が、前記液体入口ゾーンの内部の周りで液体の接線流を生成するように、またそれにより液相らせん流を提供するように構成されている、請求項１から８までのいずれか一項に記載のノズル。
【請求項１０】
前記液体入口の１つ又は複数が、前記液体入口ゾーン・ボリューム内で液体の前記らせん流を提供するように構成され、前記液体流は前記液体入口から前記出口ゾーン本体部までである、請求項１から９までのいずれか一項に記載のノズル。
【請求項１１】
前記液体入口は、前記液体入口ゾーン本体部の周りで、前記ノズル本体の中心線に対して略等しい角度で横方向に離間されている、請求項１から１０までのいずれか一項に記載のノズル。
【請求項１２】
前記液体入口本体部は、約１８０度離れて離間された２つの液体入口を有し、又は約１２０度離れて離間された３つの液体入口を有し、又は約９０度離れて離間された４つの液体入口を有している、請求項１から１１までのいずれか一項に記載のノズル。
【請求項１３】
前記液体入口本体部は２つの液体入口を有する、請求項１から１２までのいずれか一項に記載のノズル。
【請求項１４】
前記気相らせん流及び前記液相らせん流は同じ回転方向である、請求項５又は９に記載のノズル。
【請求項１５】
請求項１から１４までのいずれか一項に記載のノズルを有する水素化処理システム。
【請求項１６】
水素化処理システム内における請求項１から１４までのいずれか一項に記載のノズルの使用。
【請求項１７】
水素化処理ダウンフロー・リアクタ内における請求項１から１４までのいずれか一項に記載のノズルの使用。
【請求項１８】
ダウンフロー・リアクタ内の気液流体混合物の分散のためのノズルを製造するための方法であって、
所定の長さと、幅又は直径とを有する標準サイズのパイプを提供するステップであって、それにより上部と、底部と、長さと、幅又は直径と、内面及び外面を有する壁とを有するノズル本体を形成するステップと、
気体入口ゾーン本体部を前記ノズル本体内に形成するステップであって、前記気体入口ゾーン本体部の前記壁を通して少なくとも２つのオフセットされた気体入口を形成することを含むステップと、
液体入口ゾーン本体部を前記ノズル本体内に形成するステップであって、前記液体入口ゾーン本体部の前記壁を通して少なくとも１つの液体入口を形成することを含むステップと、
出口ゾーン本体部を前記ノズル内に形成するステップであって、ノズル制限器を含むように前記ノズル本体の前記底部を適合又は構成することを含むステップと、
前記気体入口ゾーン本体部の前記上部を囲むように構成されたノズル・キャップを、前記ノズル本体の前記上部の一体部分として、又は別の材料から、形成するステップと、
円錐台状の収束ゾーン及び円錐台状の発散ゾーンを有するノズル制限器を、前記ノズル本体の前記底部の一体部分として、又は別の材料から、形成するステップと、
前記別の材料から形成されるときに、前記ノズル・キャップを前記ノズル本体の前記上部に固定して、前記気体入口ゾーン本体部の前記上部を囲むステップと、
前記別の材料から形成されるときに、前記ノズル制限器を挿入する、又は取り付けるステップと
を含む方法。
【請求項１９】
前記気体入口ゾーン及び前記液体入口ゾーンは流体連通しており、また前記気体入口ゾーン及び前記液体入口ゾーンは、動作中に気体が前記気体入口ゾーン内に、そしてそこから前記液体入口ゾーン内に流入し、液体が前記液体入口ゾーン内に流入し、それにより前記気体及び液体が混合し且つ前記出口ゾーン内に流入するように配置されている、請求項１８に記載の方法。
【請求項２０】
前記ノズル本体、前記気体入口ゾーン本体部、前記液体入口ゾーン本体部及び前記出口ゾーン本体部のうちのいずれかが実質的に円筒状である、請求項１８又は１９に記載の方法。
【請求項２１】
少なくとも２つの気体入口が、前記ノズル本体の前記長さに沿って前記ノズル本体の前記上部から異なる長さに位置している、請求項１８から２０までのいずれか一項に記載の方法。
【請求項２２】
１つ又は複数の気体入口が、前記気体入口ゾーンの内部の周りで入口気体の接線流を生成するように、またそれにより気相らせん流を提供するように構成されている、請求項１８から２１までのいずれか一項に記載の方法。
【請求項２３】
前記気体入口は、前記気体入口ゾーン本体部の周りで、前記ノズル本体の中心線に対して略等しい角度で横方向に離間されている、請求項１８から２２までのいずれか一項に記載の方法。
【請求項２４】
前記気体入口本体部は、約１８０度離れて離間された２つの気体入口を有し、又は約１２０度離れて離間された３つの気体入口を有し、又は約９０度離れて離間された４つの気体入口を有している、請求項１８から２３までのいずれか一項に記載の方法。
【請求項２５】
前記気体入口本体部は２つの気体入口を有する、請求項１８から２４までのいずれか一項に記載の方法。
【請求項２６】
１つ又は複数の液体入口が、前記液体入口ゾーンの内部の周りで液体の接線流を生成するように、またそれにより液相らせん流を提供するように構成されている、請求項１８から２５までのいずれか一項に記載の方法。
【請求項２７】
前記液体入口の１つ又は複数が、前記液体入口ゾーン・ボリューム内で液体のらせん流を提供するように構成され、前記液体流は前記液体入口から前記出口ゾーン本体部までである、請求項１８から２６までのいずれか一項に記載の方法。
【請求項２８】
前記液体入口は、前記液体入口ゾーン本体部の周りで、前記ノズル本体の中心線に対して略等しい角度で横方向に離間されている、請求項１８から２７までのいずれか一項に記載の方法。
【請求項２９】
前記液体入口本体部は、約１８０度離れて離間された２つの液体入口を有し、又は約１２０度離れて離間された３つの液体入口を有し、又は約９０度離れて離間された４つの液体入口を有している、請求項１８から２８までのいずれか一項に記載の方法。
【請求項３０】
前記液体入口本体部は２つの液体入口を有する、請求項１８から２９までのいずれか一項に記載の方法。
【請求項３１】
前記気相らせん流及び前記液相らせん流は同じ回転方向である、請求項２２又は２６に記載の方法。
【請求項３２】
請求項１８から３１までのいずれか一項に記載の方法に従って製造されたダウンフロー・リアクタ内の気液流体混合物の分散のためのノズル。
【発明の詳細な説明】
【技術分野】
【０００１】
本出願は、２０１８年４月３０日に出願した米国仮出願第６２／６６４，６０２号に関連し、且つその優先権の利益を主張し、また２０１８年４月３０日に出願した米国仮出願第６２／６６４，９３５号に関連し、且つその優先権の利益を主張するものであり、これらの各々は、参照によって本願明細書に完全に組み込まれる。
【０００２】
ダウンフロー水素化処理リアクタのための改善されたノズル・デバイスが開示される。ダウンフロー・ノズルは、石油及び化学処理産業において、水素がある場合の炭化水素系原料の触媒反応において、高い温度及び圧力で、リアクタ触媒床に対する気体及び液体の混合及び分散を提供するために用いられる。適切な水素化処理用途として、水素化精製、水素化仕上げ、水素化分解、及び水素化脱ろうが含まれる。
【背景技術】
【０００３】
固定床水素化処理リアクタでは、気体及び液体反応物質（例えば水素及び炭化水素系原料）が固体触媒の１つ又は複数の床を通り下方に流れる。（例えば、Ｐｅｎｉｃｋの米国特許第４，５９７，８５４号参照）。反応物質がリアクタ触媒床を通り下方に流れるとき、反応物質は、触媒材料に接触し、所望の製品を製造するように反応する。水素のような気体反応物質は消費され、触媒反応によって熱が生成される。原料がリアクタを通り下方に移動するとき、原料の温度を制御することは、品質を確実にするのに重要であり、製品収量が目標製品の方向に最大化される。
【０００４】
冷たい水素が豊富な気体が触媒床の間に導入されることができ、それにより温度上昇を抑え、また反応によって消費される水素を補充する。全体のリアクタ性能を維持するために、リアクタ内の流体の温度はできるだけ均一でなければならず、液体及び気体は、性能を最大にするために十分に混合されなければならない。不十分な床間流体の混合は、種々の方法でリアクタ動作を制限しうる。床間混合が放射温度差を消すことができないとき、プロセス流体がリアクタの下に移動する際、これらの温度差は持続又は成長する。任意の床のホット・スポットは、その領域内の触媒の急速な非活性化につながる可能性があり、これは全リアクタ・サイクル長を短縮する。製品選択度は、典型的には、高温でより不十分になる。例えば、ホット領域は色、粘性及び他の製品品質を仕様外にしうる。また、温度がある値（典型的には８００〜８５０°Ｆ）をいかなる点でも超える場合、発熱反応が自動加速になり、暴走したイベントにつながりうるし、これは、触媒、容器又は下流の器材に損害を与えうる。
【０００５】
これらの危険のため、不十分なリアクタ内部ハードウェアによって動作する精製は、不十分な床間流体の混合の悪影響を回避するために、収量及び／又はスループットを犠牲にしなければならない。リアクタ温度の不均衡分散及びホット・スポットは、触媒床の間の反応物質の混合及び平衡、任意の温度及び流れの不均衡分散の修正、並びに圧力低下の最小化により最小化可能である。触媒床の間の流体の混合は、分散トレイ上に組み込まれるノズルを含む分散アセンブリを用いることにより達成可能である。水素化処理ユニットが設計をはるかに超えた供給速度で動作することを要求する現代の精練経済学によって、最適な床間流体の混合は、有益で低コストな解決策（ｄｅｂｏｔｔｌｅｎｅｃｋ）である。
【０００６】
ノズルを備えた分配トレイを含む分散アセンブリを用いて、多床触媒リアクタの床間領域内の流体を収集、混合及び分散することができる。さまざまなタイプのノズル及び混合デバイスが多数の特許及び刊行物に記載されている。本発明は、従来技術のノズル・デバイス、例えば国際公開第２０１２／０１１９８９（Ａ１）号及び国際公開第２０１２／０１１９９０（Ａ１）号に記載されているノズル・デバイスを凌ぐ特定の改善を提供する。
【０００７】
良好な触媒寿命、高いスループット、長いサイクル長及びリアクタ性能全体を提供するための十分な床間流体の混合及び分散の要求のために、改善された混合及び分散デバイスが必要である。それゆえ、継続的必要性が、ダウンフロー・リアクタ内のノズル・デバイスに存在する。
【先行技術文献】
【特許文献】
【０００８】
【特許文献１】米国特許第４，５９７，８５４号
【特許文献２】国際公開第２０１２／０１１９８９（Ａ１）号
【特許文献３】国際公開第２０１２／０１１９９０（Ａ１）号
【発明の概要】
【０００９】
本発明は、ダウンフロー水素化処理リアクタのためのノズル・デバイスに関する。ノズルは、水素化処理リアクタの触媒床に対する気体及び液体の有効な混合及び分散を提供する。ノズルは、二相システムの気相及び液相の混合における既存の混合ボリュームの有効な混合を提供しながら、他のノズルと比較してノズルを介して圧力低下を減少させる。ノズルは、改造応用のために適切であり、ノズルを用いて、新しいリアクタ設計がリアクタ触媒床に対する効果的な流体の混合及び分散を達成することができる。例えば、混合ボックス及び分散トレイを含む、多床ダウンフロー・リアクタの追加の混合及び分散の構成要素に関連して、ノズルは、リアクタ内の液相及び気相の有効な混合及び分散を提供する。
【００１０】
ノズルは、全体的に、上部、底部、長さ、幅又は直径、並びに内面及び外面を有する壁を有するノズル本体を含む。ノズルは、少なくとも３つのゾーン、すなわち気体入口ゾーン本体部、液体入口ゾーン本体部及び出口ゾーン本体部を有することによって特徴付けられる。気体入口ゾーン及び液体入口ゾーンは、気体及び液体を、入口を通してノズル内に導入するためのそれぞれのボリュームを有する。ノズルはまた、ノズル本体の上部のキャップ又は他のクロージャと、ノズルの底部に位置するノズル流量制限器とを含む。ノズル制限器（ノズル・リストリクタ）は、収束ゾーン及び発散ゾーンを含むので一般的に収束・発散ノズル制限器と称され、各ゾーンは、円錐台状の形状を有する。
【００１１】
本発明はまた、ノズルを有する水素化処理システム、及び例えば触媒床に対する気体及び液体の床間分散のための分散トレイ装置においてを含む水素化処理システム内のノズルの使用にも関する。
【００１２】
本発明はさらに、ダウンフロー・リアクタ内の気液流体混合物の分散のためのノズルを製造するための方法に関する。例えば本発明の実施例では、ノズル本体は、所定の長さ及び幅又は直径の標準サイズのパイプから形成され、上部、底部、長さ、幅又は直径並びに内面及び外面を有する壁を有するノズル本体を形成してもよい。方法は、気体入口ゾーン本体部をノズル本体内に形成するステップであって、気体入口ゾーン本体部の壁を通して少なくとも２つのオフセットされた気体入口を形成することを有するステップと、液体入口ゾーン本体部をノズル本体内に形成するステップであって、液体入口ゾーン本体部の壁を通して少なくとも１つの液体入口を形成することを有するステップとを含む。出口ゾーン本体部は、ノズル内に形成され、ノズル制限器を含むように、ノズル本体の底部を適応又は構成することを有する。円錐台状の収束ゾーン及び円錐台状の発散ゾーンを有するノズル制限器は、ノズル本体の底部の一体部分として又は別々の材料から形成される。別々の材料から形成されるとき、ノズル制限器は、ノズル本体の底部に挿入又は取り付けられる。気体入口ゾーン本体部の上部を囲む（ｅｎｃｌｏｓｅ）ように構成されるノズル・キャップはまた、ノズル本体の上部の一体部分として又は別々の材料から形成されてもよい。別々の材料から形成されるとき、ノズル・キャップは、ノズル本体の上部に固定され、気体入口ゾーン本体部の上部を囲む。
【００１３】
図１から図３は、本発明の一実施例に従うノズル・デバイスの代表的な図を提供する。本発明の範囲は、これらの代表的な図によって制限されるものではなく、出願の請求項によって定義されるものと理解されたい。
【図面の簡単な説明】
【００１４】
【図１】本発明のノズル・デバイスの実施形態の概略的な図を示すものであり、側面図１及び断面図１Ａ、１Ｂ及び１Ｃを含む。
【図２】ノズル・デバイスの実施形態の図を示すものであり、断面図２Ａ、図２Ｂの詳細Ｂ及び底面図２Ｃを示す。
【図３】本発明のノズル・デバイスの実施形態の側面、上面及び底面斜視図を示すものであり、ノズルの側面（図３．１ａ）、底面（図３．１ｃ、３．２ｂ及び３．３ｂ）及び上面（図３．１ｂ、３．２ａ及び３．３ａ）方向からの等角図を含む。
【発明を実施するための形態】
【００１５】
本発明のノズル・デバイスは、周知のノズル・デバイスに対する利点を提供する。この種の利点は、コストの削減及び製作の単純性並びに動作上の利点、例えば改善された動作の安定性、改善された液体スループット、及び非標準動作条件（例えば高い液体流量及びレベル外の条件）に対するより高い許容度を含む。
【００１６】
特定の実施例及び利点は、本願明細書に提供される詳細な説明から明らかである。しかしながら、詳細な説明、図面及び任意の特定の例は、有益な実施例を示し、好適な実施例を含むが、説明の目的のためにのみに意図され、本発明の範囲を制限することを意図しないことを理解されたい。
【００１７】
本発明は、ダウンフロー水素化処理リアクタのためのノズル・デバイスに関する。ノズルは、上部、底部、長さ、幅又は直径、並びに内面及び外面を有する壁を有するノズル本体を有する。ノズルは、気体入口ゾーン本体部、液体入口ゾーン本体部及び出口ゾーン本体部を含む。気体入口ゾーン本体部は、気体入口ゾーン・ボリュームを定義し、気体入口ゾーン・ボリューム内に気体を通過させるための少なくとも２つのオフセットされた気体入口を有する。液体入口ゾーン本体部は、液体入口ゾーン・ボリュームを定義し、液体入口ゾーン・ボリューム内に液体を通過させるための少なくとも１つの液体入口を有する。気体入口ゾーン・ボリューム及び液体入口ゾーン・ボリュームは、流体連通する。すべての用途に必要とされるわけではないが、２つの入口ゾーンは、典型的には、液体入口ゾーンの上部に位置する気体入口ゾーンによって隣接する。ノズル・キャップは、ノズル本体の上部に位置し、気体入口ゾーン本体部の上部を囲み、収束・発散ノズル制限器は、ノズル本体の底の出口ゾーン本体部内に位置する。ノズル・キャップは、ノズル本体の上部及び／又は気体入口本体部の上部を囲む。ノズル制限器は、円錐台状の収束ゾーン及び円錐台状の発散ゾーンを有し、これらは、ノズル制限開口で合致する。円錐台状のゾーンは、互いに流体連通する。典型的には、ノズル本体は、ノズル本体の上部の気体入口本体部と、気体入口ゾーンに隣接し、気体入口ゾーンの下の液体入口ゾーン部と、液体入口ゾーン本体部に隣接し、液体入口ゾーン本体部の下の出口ゾーン本体部とともに形成される。
【００１８】
気体入口ゾーン、液体入口ゾーン及び出口ゾーン本体部を含むノズル本体は、全体的に任意の断面形状を有してもよい。便宜上、コスト及び動作上の性能、この種の本体部の一部又は全部は、典型的には実質的に円筒状である。典型的には、ノズル本体は、ブランクのシリンダ又はパイプから形成されるが、他の断面形状を用いてもよい。
【００１９】
ノズル気体入口は、ノズル本体の長さに沿ってノズル本体の上部から異なる長さに位置する。気体入口形状は、溝をつけられてもよく、円形又は他の形状でもよいが、円形であることが都合がよい。気体入口は、少なくとも１つの気体入口が１つ又は複数の他の気体入口よりノズル本体の上部（又は底部）のより近くに位置するように、ノズル本体の上部（又は底部）からそれらの距離においてオフセットされる。これに制限されるものではないが、好ましくは、少なくとも１つの気体入口は、他の気体入口の１つ又は複数よりノズル本体の上部に少なくとも５０％、又は少なくとも３０％、又は少なくとも２０％近い。気体入口は、気体入口ゾーン本体部の周りで間隔がおかれる。入口間隔は、気体入口ゾーン本体部の壁の周りで変化してもよく、ノズル本体の中心から測定される各入口の間の角度が略同じであるように、等しく間隔がおかれることが都合よい。例えば、２つの気体入口の場合、各入口は、１８０度離れて間隔がおかれてもよい。同様に、３つの気体入口は、約１２０度間隔で等しく間隔がおかれてもよいし、又は、４つの気体入口は、約９０度間隔で等しく間隔がおかれてもよい。
【００２０】
気体入口は、気体及び液体を混合することを提供するように構成され、１つ又は複数の気体入口は、好ましくは、気体入口ゾーンの内部の周りで入口気体の接線流を生成し、このことによって気相らせん流を提供するように構成される。好ましくは、２つの気体入口は、気体入口ゾーン本体部内に存在する。
【００２１】
ノズル液体入口は、液体入口ゾーン本体部内に位置し、典型的には、ノズルの気体入口ゾーン本体部の下に位置する。液体入口形状は、溝をつけられてもよいし、円形又は他の形状でもよいが、溝をつけられ円形の端を有することが都合がよい。液体入口は、上部（又は底部）から測定されるとき同じ位置でノズル本体の長さに沿って設定されてもよいし、又は、液体入口の位置は、長さに沿って変化しもよい。好ましくは、液体入口は、ノズル本体に沿って同じ高さに位置する。液体入口は、気体入口ゾーン本体部の周りで間隔がおかれる。入口間隔は、液体入口ゾーン本体部の壁の周りで変化してもよく、ノズル本体の中心から測定される各入口の間の角度が略同じであるように、等しく間隔がおかれることが都合がよい。例えば、２つの液体入口の場合、各入口は、１８０度離れて間隔がおかれてもよい。同様に、３つの液体入口は、約１２０度間隔で等しく間隔がおかれてもよいし、又は、４つの液体入口は、約９０度間隔で等しく間隔がおかれてもよい。
【００２２】
液体入口は、液体入口ゾーンの内部の周りで液体の接線流を生成し、このことによって液相らせん流を提供するように構成される。少なくとも１つの液体入口は、液体入口ゾーン本体部内に存在し、２つの液体入口が存在することが都合がよい。
【００２３】
好ましくは、液体入口及び気体入口は、混合が発生するように、気体入口ゾーンから液体入口ゾーンまで気体のらせん流を提供するように構成される。液体入口はまた、気相らせん流及び液相らせん流が同じ回転方向であるように、液体入口ゾーン内の液体のらせん流を提供することができる。次に、気体及び液体の流れは、ノズルの出口ゾーンに通過する。
【００２４】
本発明は、さらに、水素化処理システムにおいて、特にダウンフォロー水素化処理リアクタにおいて、例えば、この種のリアクタの分散トレイの一部としての本発明に従うノズルの使用に関する。
【００２５】
本発明の一実施例において、図１は、ノズル１０の断面図を示す。ノズルは、気体入口１４及び液体入口１６を有する実質的に円筒状のノズル本体１２を含み、気体入口１４及び液体入口１６は、それぞれ、各々気体及び液体ゾーン・ボリュームを定義する気体入口及び液体入口の本体部内に位置する。ノズルはまた、ノズルの底において出口ゾーン本体部も含み、出口ゾーン本体部は、収束ゾーン２０及び発散ゾーン２２を有するノズル・リストリクタ１８を含む。ノズル制限開口２４は、収束ゾーンと発散ゾーンとの間に位置し、実質的に円形である。ノズルは、ノズル本体の上部及び気体入口ゾーン本体部の上部に位置するノズル・キャップ２６を含む。ノズル・キャップは、ノズル本体の上部に固定され、都合よく上部に溶接されてもよいか又はさもなければ上部に結合又は取り付けられてもよい。図１Ａ、１Ｂ及び１Ｃは、それぞれ、断面線Ａ−Ａ、Ｂ−Ｂ及びＣ−Ｃに沿った断面図を示す。
【００２６】
図２は、本発明の同じ実施例の追加の図を示し、図線Ａ−Ａに沿った底面図２Ｃを含む。図２Ｂは、ノズル・リストリクタの詳細Ｂのより近い図を提供する。
【００２７】
図３は、本発明の同じ実施例に従うノズルの追加の斜視図を示し、図３．１ａ、３．１ｂ及び３．１ｃは側面図、平面図及び底面図である。図３．２ａ及び３．３ａはノズルの平面斜視図を示し、図３．２ｂ及び３．３ｂはノズルの底面斜視図を示す。
【００２８】
本発明のノズルは、全体的に、いくつか又はノズル本体のいくつか又はすべての部分を別に又は１つの本体部分として形成することによって構成されてもよい。一実施例において、ノズル本体は、特定のリアクタのために必要とされる液体及び気体流速のためにサイズ設定される標準パイプから形成される。さまざまな断面形状を用いることができるが、円筒状のパイプ断面は、製造の容易さ及びコストのために都合がよく好ましい。この実施例に従う方法は、ノズルが所定の上部、底部及び直径（又は非円形の断面の場合は幅）を有するようにノズル本体を形成するように、パイプの断面をサイズ設定するステップを含む。ノズル本体はまた、全体的に、ノズル本体の内部及び外部を、本体の内面及び外面とともに定義する壁を有する。気体及び液体入口は、典型的には、ノズル本体の円筒状の部分を穿設又はミル加工のような機械的手段によってノズル本体に形成される。例えば、三次元製作、成形又は他の技術による、入口を形成する他の手段もまた用いてもよい。ノズル本体の気体入口部及び液体入口部は、典型的には隣接し、気体入口は、ノズル本体の上部のより近くに位置し、液体入口は、ノズル本体の底部のより近くに位置し、出口ゾーン本体部に隣接する。気体入口は、ノズル本体の上部から、ノズル本体の長さに沿ってオフセットされる。気体入口の数及び位置は、分散トレイ上の液高さを占めるために変化することができるので、気体入口の少なくともいくつかは、高い液体負荷条件下で開放されたままである。出口ゾーンは、典型的には別々の材料から作られるが、例えばノズル本体の中実部分から形成されるときにノズル本体の一体部分として形成されてもよいノズル制限器を含むように形成される。ノズル制限器は、典型的には固体ブランクのミル加工のような機械的手段を介して、収束ゾーン及び発散ゾーンを含むように形成される。例えば、成形又は三次元製作などの代替技術もまた適切である。別々の材料から形成されるとき、ノズル・リストリクタは、溶接、接着性結合又は他の機械的手段のような適当な技術を用いて、ノズル本体に固定されてもよいし、取り付けられてもよいし、又は、接続されてもよい。ノズル・キャップはまた、典型的にはブランク材料から形成されてもよく、ノズル本体に従って都合よく成形されてもよく、例えば円形のディスクに成形され、ノズル本体の上部に適合する。ノズル・キャップはまた、典型的には、本願明細書において記載されているような適当な技術を用いて、ノズル本体の上部に固定され、取り付けられ、又は、接続される。
【００２９】
本発明のノズルは、水素化処理用途における特定の利点及び改善を提供し、気体及び液体の渦巻きにより、ノズル出口ゾーンを通り流れる間ノズル内の気体と液体との間の広範囲な混合を提供するため、ノズル内での気体及び液体の有利な混合と、（例えば、国際公開第２０１２／０１１８９（Ａ１）号及び国際公開第２０１２／０１１９０（Ａ１）号にて説明したような）他の従来技術のノズルと比較して、ノズル出口ゾーン（例えば、図１のノズル制限開口２４）を通るより低い流速での円錐形状のスプレー・パターンの形成と、気体入口ゾーン本体部内に位置する気体入口開口のオフセット位置に部分的に起因する高い液体流量の改善された動作上の柔軟性及び能力と、を含む。
【００３０】
また、本発明に従うノズルを製造する方法は、特定の利点及び改善を提供し、すなわち、標準サイズ材料の使用により、コスト及び製作時間及び複雑さが著しく減少すること（例えば、配管供給元から入手可能な標準パイプ・サイズ例えば、一般的に利用できるスケジュール８０パイプは、標準直径が１〜８インチ（２．５４〜２０．３２ｃｍ）、好ましくは１．５〜５インチ（３．８１〜１２．７ｃｍ）の範囲である）、及び、異なる直径の複数の内部ゾーンを必要としない気体入口ゾーン及び液体入口ゾーンのためのより単純な設計の使用による製作の複雑さ及び時間を減少することを含む。例えば、国際公開第２０１２／０１１８９（Ａ１）号及び国際公開第２０１２／０１１９０（Ａ１）号に記載されているノズルと比較して、本発明のノズルは、（例えば、国際公開第２０１２／０１１８９（Ａ１）号及び国際公開第２０１２／０１１９０（Ａ１）号の図９Ｂの要素６０２ｂに従う）気体入口及び液体入口と異なる、気体入口ゾーンと液体入口ゾーンとの間に中間ゾーンを含まず、又は、特には、（例えば、国際公開第２０１２／０１１８９（Ａ１）号及び国際公開第２０１２／０１１９０（Ａ１）号の図９Ｂの要素６０２ｃに従う）液体入口ゾーン及び（例えば、国際公開第２０１２／０１１８９（Ａ１）号及び国際公開第２０１２／０１１９０（Ａ１）号の図９Ｂの要素６０２ａに従う）気体入口ゾーンより小さい直径を有する中間ゾーンを含まない。加えて、国際公開第２０１２／０１１８９（Ａ１）号及び国際公開第２０１２／０１１９０（Ａ１）号に記載されているノズルと比較して、本発明のノズルは、液体入口ゾーンより大きい直径を有する気体入口ゾーン（例えば、それぞれ、国際公開第２０１２／０１１８９（Ａ１）号及び国際公開第２０１２／０１１９０（Ａ１）号の図９Ｂにおいて、要素６０２ａ及び６０２ｂに従う）を有する必要がなく、好ましくは、有さない。
【００３１】
本発明の１つ又は複数の実施例の上記の説明は、主に説明のためであり、依然として本発明の本質を組み込む多くの変化を用いることができることを認識されたい。本発明の範囲を決定する際には、以下の請求項を参照しなければならない。
【００３２】
本発明の上記の説明で引用されるすべての特許及び刊行物は、本願明細書に参照によって組み込まれる。
【図１】
2021520998.tif 000003
【図２】
2021520998.tif 000004
【図３】
2021520998.tif 000005
【国際調査報告】
2021520998.tif 000006
2021520998.tif 000007
2021520998.tif 000008